(57)【特許請求の範囲】
【請求項１】
突起を有するスライディング部が設けられたバックル本体と、前記バックル本体の一側に設けられたスライディング部に着脱自在に装着されたホイッスルと、を含むホイッスル付きバックルであり、
前記ホイッスルは、笛音の出口を正面部とし吹き込み口を背面部とするホイッスル本体と、
前記スライディング部を挿入するための挿入溝及び前記スライディング部に形成された突起を挿入して固定する固定溝を備えた連結部と、からなり、
前記連結部は、前記ホイッスル本体の一側面に前記ホイッスル本体の正面部から背面部に沿った長手方向に形成され、
前記挿入溝は、前記連結部のバックル本体寄り側面に設けられ、前記スライディング部が前記連結部の背面部を貫通して逸脱するのを防止するため、ホイッスル正面部側から、ホイッスル背面部側の方向に向かって、正面部側は開放され背面部側は閉じられた状態で、連結部のホイッスル背面部側端部と一定の間隔をおいた位置まで設けられ、
前記固定溝は、前記連結部のホイッスル本体正面部側に隣接している位置に設けられていることを特徴とするホイッスル付きバックル。
【発明の詳細な説明】
【技術分野】
【０００１】
本発明は、ベルトに取付けられてベルトを連結又は固定するためのバックルに係り、より詳細には、ホイッスル付きバックルに関する。
【背景技術】
【０００２】
一般にバックルは、登山用リュックサックや学生用カバンなどの結合ベルトとして広く用いられている。バックルを使用する物品は、使用者が野外で活動する場合により多く利用される。
【０００３】
すなわち、バックルが使用されている物品は日常生活品にも見られるが、特に、ハイキング、船遊び、キャンピング、登山などの野外活動において、多様な用途の連結のために多数のバックルを具備した物品が利用されている。
【０００４】
一方、このような野外活動の際、緊急な救助が要請される状況において、例えば声が遠くに伝えられない状況や、周辺の騷音により話が明確に聞こえない状況が発生し得る。そのため、このような緊急状況が発生し得る活動の参加者には、安全用ホイッスルの持参が勧告事項となっている。
【０００５】
しかし、こうした緊急状況は誰にも例外なく起こり得るにも拘わらず、殆どの人々がこれを意識せず、前記のような活動の参加者さえ常にホイッスルを持参することは容易でない。よって、実際に緊急状況が発生しても、ホイッスルの不在により、他人に緊急状況を通知できなくて事故が発生することがあった。
【０００６】
図１は、従来のホイッスル付きバックルの例示図である。
前述したように、バックルは、各種物品を互いに連結したり、各種物品を使用者の体に密着させるために固定する用具として用いられる。例えば、登山用リュックサックの肩ベルト、胸ベルト、腰ベルト、連結ベルト、ポケットベルトなどに用いられている。
【０００７】
緊急状況が発生する可能性が高い野外活動をする使用者が、常にホイッスルを携帯できるように、図１に示すような、ホイッスル１２がバックル本体の雌レセプタクル１１に一体に装着されたバックルが開示されている（例えば米国特許６，６６８，４２８号公報を参照）。
【０００８】
しかしながら、使用者が図１に示すホイッスル付きバックルを用いてホイッスル１２を使用するためには、使用者は、まず、雌レセプタクル１１と雄ラッチ１７とを分離した後、ベルトに連結したままの雌レセプタクル１１を口に咥えるため、不便であった。すなわち、図１に示す従来のホイッスル付きバックルは、バックルを構成する雌レセプタクル１１とホイッスル１２とが一体型であるため、使用者がホイッスルを口に位置に持ってくるためには、雌レセプタクル１１と雄ラッチ１７の締結を先に切り離さなければならないため、ホイッスル１２の使用が不便であるという問題点があった。
【０００９】
また、従来のホイッスル付きバックルは、ホイッスルがバックルと一体になっているため、ホイッスルが常に外部に露出されていて、外観上良くない。
【００１０】
また、ホイッスルが常に外部に露出されているため、衛生上も良くない。すなわち、使用者が野外で活動する間、各種媒煙やホコリなどにホイッスルが露出しているため、使用者の口に入れられるホイッスルとしては、衛生上よくないという問題点があった。
【特許文献１】米国特許ＵＳ６，６６８，４２８号
【発明の開示】
【発明が解決しようとする課題】
【００１１】
本発明は上記問題点に鑑みてなされたものであって、本発明の目的は、緊急な救助を要請する活動に参加する場合に、容易にホイッスルを携帯できるようにして、緊急状況におけるホイッスルの使用を容易にすると共に、ホイッスルを使用しない状況にあるときはホイッスルを取り外して保管し、ホイッスルの汚染を防止することができるバックルに着脱自在に取りつけられたホイッスルを提供することにある。
【課題を解決するための手段】
【００１２】
本発明によるホイッスル付きバックルは、突起を有するスライディング部が設けられたバックル本体と、バックル本体の一側に設けられたスライディング部に着脱自在に装着されたホイッスルと、を含み、ホイッスルは、笛音の出口を正面部とし吹き込み口を背面部とするホイッスル本体と、スライディング部を挿入するための挿入溝及びスライディング部に形成された突起を挿入して固定する固定溝を備えた連結部と、からなり、連結部は、ホイッスル本体の一側面にホイッスル本体の正面部から背面部に沿った長手方向に形成され、挿入溝は、連結部のバックル本体寄り側面に設けられ、スライディング部が連結部の背面部を貫通して逸脱するのを防止するため、ホイッスル正面部側から、ホイッスル背面部側の方向に向かって、正面部側は開放され背面部側は閉じられた状態で、連結部のホイッスル背面部側端部と一定の間隔をおいた位置まで設けられ、固定溝は、連結部のホイッスル本体正面部側に隣接している位置に設けられていることを特徴とする。
【発明の効果】
【００１３】
本発明は、ホイッスルがバックルに着脱自在に構成されているため、バックルを分離することなく、ホイッスルを簡便に使用できる。
また、本発明は、ホイッスルが着脱自在に構成されているため、ホイッスルが不要な場合、ホイッスルを別途に管理でき、バックルの外観を害うことがない。
また、本発明は、ホイッスルが着脱自在に構成されているため、媒煙やホコリなどが激しい所では、ホイッスルを別途に管理できる。これによってホイッスルの汚染を防止できる。
【発明を実施するための最良の形態】
【００１４】
以下、添付図面に基づき、本発明の好適な実施例を詳細に説明する。
図２は、本発明によるホイッスル付きバックルの分解斜視図である。
本発明のホイッスル付きバックルは、図２に示すように、ベルトの端部に連結されてベルトを一定の張力に維持させるためのバックル本体２１０と、バックル本体２１０の一側に形成されたスライディング部２１５（図９参照）に着脱自在に装着されたホイッスル１００と、を含む。
【００１５】
バックル本体２１０は、登山用リュックサックや学生用カバンやヘルメットのような物品に付属するベルトの端部に装着され、二本のベルトを互いに連結又は分離する機能を有するもので、雄ラッチ２１１と雌レセプタクル２１２とを含んで構成される。雄ラッチ２１１と雌レセプタクル２１２とは、弾性力を有するプラスチック素材を成型して製造することが好ましい。
【００１６】
ベルトは、登山用リュックサックや学生用カバンなどに付属する部品で、例えば登山用リュックサックの場合には肩紐、胸紐、腰紐等の多くの部位に多様な使用形態によって使用されている。以下の記載では、ベルトは、前述したような多様な使用形態のベルトを全部含む概念として使用する。
【００１７】
一方、バックル本体２１０の一側には、ホイッスル１００をスライドさせて装着するスライディング部が設けられる。図２に示す本発明の第１の実施例では、雄ラッチ２１１の一側にスライディング部２１５が形成された例を示したが、スライディング部２１５は、雄ラッチ２１１の一側に形成することも、雌レセプタクル２１２に形成することもできる。
【００１８】
ホイッスル１００は、使用者が息を吐き込むと、空気が送気管を通過しながら振動して笛音を発生するもので、野外活動で発生し得る緊急状況において、他人に緊急状況を通知するための信号用として用いられることが多い。一方、本発明に適用されるホイッスル１００は、バックル本体２１０に装着した状態で用いるように製作したもので、笛音を発生させるためのホイッスル本体１１０と、バックル本体２１０に形成されたスライディング部２１５に嵌合するように、ホイッスル本体１１０に形成された連結部１２０を含んで構成されることが好ましい。
【００１９】
すなわち、本発明の第１の実施例によるホイッスル付きバックルは、ホイッスル１００に設けられた連結部１２０と、バックル本体２１０に形成されたスライディング部２１５とが着脱自在に構成される。特に、本発明の第１の実施例では、バックル本体２１０が雄ラッチ２１１及び雌レセプタクル２１２からなり、スライディング部２１５が雄ラッチ２１１の一側に形成されることを特徴とする。以下、図３〜図６を参照して、本発明の第１の実施例によるホイッスル付きバックルを、より詳細に説明する。
【００２０】
図３は図２に示すホイッスルの正面図であり、図４は図２に示すホイッスルのバックル本体寄り側面図であり、図５は図２に示すホイッスルの背面図であり、図６は図２に示すホイッスルの平面図であって、図３〜図６は図２に示すホイッスル１００の構造をより詳細に説明するために示されている。
【００２１】
図３に示すように、ホイッスル１００は、笛音を発生させるためのホイッスル本体１１０と、バックル本体２１０に形成されたスライディング部２１５と連結するように、ホイッスル本体１１０に形成された連結部１２０と、を含む。
図３は、ホイッスル本体１１０の笛音の出口を正面部１２１とした図を示したが、息を吹き込む口と出口との向きは任意である。
【００２２】
ホイッスル本体１１０は笛音を発生させることを目的とするため、ホイッスル本体１１０の形状は、これを達成し得る任意の形状で構成できる。また、ホイッスル本体１１０は、連結部１２０を介してバックル本体２１０に連結している状態で移動可能であるため、その寸法をバックル本体２１０の形状によって多様に設定できる。
【００２３】
連結部１２０は、ホイッスル本体１１０の一側面に形成され、バックル本体２１０のスライディング部２１５に連結する機能を有する。連結部１２０も多様な形状で構成できるが、図３〜図６では六面体からなる連結部１２０を例示する。
【００２４】
図４に示すように、連結部１２０は、正面部１２１から連結部１２０の長手方向に形成され、スライディング部２１５（図９参照）を挿入するようにスライディング部２１５の側面の形状と略同一の形状の断面（図３参照）を有する挿入溝１２２の入り口が形成された正面部１２１と、正面部１２１のバックル本体２１０側に形成され、スライディング部２１５を挿入するように、連結部１２０の長手方向に挿入溝１２２が形成されるバックル本体寄り側面１２３と、正面部１２１の上段から連結部１２０の長手方向に形成される平面部１２５と、連結部１２０の底面を形成する底面部１２７と、連結部１２０の長手方向に正面部１２１の反対方向に形成され、スライディング部２１５を支持する背面部１２４と、からなる。
【００２５】
すなわち、連結部１２０に、スライディング部２１５に形成した突起が挿入可能なように挿入溝１２２を形成し、挿入溝１２２にスライディング部２１５を挿入することで、連結部１２０とスライディング部２１５とを連結する。
【００２６】
図３に示すように、正面部１２１はホイッスル本体１１０の一側面から垂直方向に突出した面である。正面部１２１には、スライディング部２１５の断面の形状と略同一の形状を有する挿入溝１２２の入口が形成される。すなわち、バックル本体２１０に形成されたスライディング部２１５を連結部１２０に嵌合させるためには、スライディング部２１５の一側端が正面部１２１及びバックル本体寄り側面１２３に形成された挿入溝１２２の空隙に挿入されなければならないため、正面部１２１に、スライディング部２１５の断面の形状と略同一の形状で挿入溝１２２が形成される。
【００２７】
正面部１２１に形成された挿入溝１２２がスライディング部２１５の側面の形状の形状と必ずしも同一でなくてよいが、スライディング部２１５及び連結部１２０の密着連結のために略同一であることが好ましい。また、同様な理由により、挿入溝１２２のサイズは、スライディング部２１５が挿入移動できる程度の余裕だけを有するように形成されることが好ましい。
【００２８】
図４に示すように、バックル本体寄り側面１２３は、正面部１２１を通して連結部１２０に挿入されたスライディング部２１５に突起が移動する空間を形成する。このために、バックル本体寄り側面１２３には、挿入溝１２２が連結部１２０の長手方向に形成される。すなわち、挿入溝１２２は、正面部１２１に連結しているバックル本体寄り側面１２３の一側から背面部１２４の方向に形成される。しかしながら、スライディング部２１５が背面部１２４を貫通して逸脱するのを防止するために、挿入溝１２２はバックル本体寄り側面１２３のうち、背面部１２４と一定の間隔をおいた位置まで形成される。換言すれば、挿入溝１２２は正面部１２１側が開放され、他端は閉じられていることが好ましい。
【００２９】
すなわち、スライディング部２１５は、正面部１２１及びバックル本体寄り側面１２３の挿入溝１２２を介して連結部１２０に挿入されて、バックル本体寄り側面１２３に沿って移動できるようになっており、背面部１２４に到達する前まで形成されている挿入溝１２２によって移動が停止される。しかしながら、スライディング部２１５を一定の位置で固定させるための別途の手段、例えば、固定溝１２６などが形成されている場合には、背面部１２４にも正面部１２１と同様に挿入溝１２２を形成することが出来る。
【００３０】
この場合、バックル本体寄り側面１２３には、正面部１２１から背面部１２４まで連続的に挿入溝１２２を形成し得る。一方、前述したように、背面部１２４にも挿入溝１２２が形成される場合、スライディング部２１５は、正面部１２１及び背面部１２４の全ての方向で挿入できる。
【００３１】
平面部１２５は、正面部１２１、背面部１２４及び底面部１２７と共に、バックル本体寄り側面１２３を支持するものである。特に、スライディング部２１５を一定の位置で連結部１２０に固定するために、平面部１２５には図６に示すように固定溝１２６が形成される。すなわち、固定溝１２６は、スライディング部２１５に形成した突起が挿入可能なように平面部１２５に形成された溝であって、これによりスライディング部２１５を連結部１２０の一定の位置に固定できる。固定溝１２６は、図６に示すように、正面部１２１と隣接している位置に形成することができるが、背面部１２４と隣接している位置に形成することもできる。
【００３２】
また、固定溝１２６は、必ずしも一つだけ存在しなくてよく、正面部１２１及び背面部１２４に隣接している位置に二つ以上形成し得る。この場合、スライディング部２１５にも、位置及び個数に合う突起が多数形成し得る。しかしながら、固定溝１２６及び突起は、連結部１２０とスライディング部２１５を固定させる機能の他にも、連結部１２０とスライディング部２１５とを分離させる機能を遂行するため、円滑な分離のために、適正な個数、例えば、一つ又は二つで形成されることが好ましい。
【００３３】
背面部１２４は、正面部１２１と対向する面であって、一般的に図５に示すように、挿入溝１２２が形成されていない板で構成され得る。しかしながら、前述したように、背面部１２４にも挿入溝１２２が形成され得る。この場合、使用者は、スライディング部２１５を正面部１２１方向と背面部１２４方向との両方の方向から挿入できる。
【００３４】
底面部１２７は、平面部１２５と対向する面であって、正面部１２１、背面部１２４及びバックル本体寄り側面１２３を支持する機能を有する。一方、固定溝１２６は必ずしも平面部１２５のみに形成されるものではなく、底面部１２７に形成することもできる。この場合、スライディング部２１５の突起は、底面部１２７の固定溝１２６の位置に合うように、その位置を移して形成され得る。また、固定溝１２６は、平面部１２５及び底面部１２７の全部に形成することもできる。しかしながら、この場合には、前述したような連結部１２０とスライディング部２１５との円滑な分離を考慮して、適正な個数の固定溝１２６を平面部１２５及び底面部１２７に形成することが好ましい。
【００３５】
本発明に適用される連結部１２０は、バックル本体２１０に形成されたスライディング部２１５が挿入されるもので、スライディング部２１５の側面と類似している形状の断面を有する挿入溝１２２が、連結部１２０又はスライディング部２１５の長手方向に形成される。しかしながら、連結部１２０の外観が前述したように六面体に限定されるものではない。連結部１２０の外観は、挿入溝１２２を収容できる多様な形状、例えば、曲げられた形状で構成し得る。
【００３６】
図７は図２に示すバックル本体の雄ラッチの正面図であり、図８は図２に示すバックル本体の雄ラッチの平面図である。
【００３７】
本発明の第１の実施例において、バックル本体２１０は、雄ラッチ２１１と雌レセプタクル２１２とからなり、雄ラッチ２１１は、ベルトの端部と結合する第１端部２１７と、第１端部２１７の一側面の中央から突出するガイド突起２１３と、ガイド突起２１３を中心として第１端部２１７の一側面から突出する一対のフック２１４と、第１端部２１７の他の一側面から突出し、ホイッスル１００の連結部１２０に挿入されるスライディング部２１５と、を含む。
【００３８】
第１端部２１７は、雄ラッチ２１１がベルトの端部と結合する部分である。
ガイド突起２１３は、一対のフック２１４の中央に形成された突起で、一対のフック２１４を雌レセプタクル２１２に挿入する基準位置を合わせることができる。
【００３９】
一対のフック２１４は、ガイド突起２１３を中心として第１端部２１７の両側面から突出したもので、雌レセプタクル２１２に挿入されて雌レセプタクル２１２と結合する部分である。一対のフック２１４は、第１端部２１７から延長して形成されるアームと、アームの端部においてアームの三つの側面から突出される三つの断面を有する突出部とからなる。
【００４０】
突出部の形状は多様に構成できるが、図７及び図８に示す突出部は、アームの外側面、すなわち第１面から突出した第１断面を有する第１突出部と、アームの左側面、すなわち第２面から突出した第２断面を有する第２突出部と、アームの右側面、すなわち第３面から突出した第３断面を有する第３突出部とからなる。
【００４１】
スライディング部２１５は、ホイッスル１００の連結部１２０に挿入されるもので、第１端部２１７の他の一側面に形成される。すなわち、第１端部２１７は、基本的にベルトの端部と連結するための構造で形成され、第１端部２１７の一側面にはガイド突起２１３とフック２１４とが形成され、スライディング部２１５は、ガイド突起２１３とフック２１４とが形成される一側面と対向する面に形成される。一方、スライディング部２１５の表面には、連結部１２０の固定溝１２６に挿入される突起２１６が形成される。突起２１６の位置及び個数は、前述したように、固定溝１２６の位置及び個数によって多様に設定され得る。
【００４２】
雌レセプタクル２１２は、フック２１４を挿入して結合するもので、ベルトと結合される第２端部と、第２端部の反対側面に形成され、雄ラッチ２１１の一対のフック２１４（及びガイド突起２１３）が挿入される挿入部と、挿入部を通して挿入された一対のフック２１４に形成された突出部が挿入部の外部に突出されるようにし、突出部の各々を固定させるための受容部とからなる。
【００４３】
一方、前記では、スライディング部２１５が雄ラッチ２１１に形成されるものとして説明したが、スライディング部２１５は必ずしも雄ラッチ２１１に形成されるものではない。すなわち、スライディング部２１５は、雌レセプタクル２１２に形成され得る。この場合、第２端部の挿入部が形成される側面の反対側面に形成されることが好ましい。
【００４４】
雄ラッチ２１１及び雌レセプタクル２１２からなるバックル本体２１０は、二つのベルトの端部を互いに連結させるためのもので、バックル本体２１０を構成する雄ラッチ２１１と雌レセプタクル２１２との何れか一つにホイッスル１００の連結部１２０に挿入するスライディング部２１５を形成する。
【００４５】
図９は、本発明の第１の実施例によるホイッスル付きバックルの結合を示す斜視図であって、図２〜図８を参照して説明した本発明の第１の実施例によるホイッスル付きバックルの使用状態を示す例示図である。
【００４６】
すなわち、本発明の第１の実施例によるホイッスル付きバックルは、雄ラッチ２１１及び雌レセプタクル２１２からなるバックル本体２１０のうち、雄ラッチ２１１にスライディング部２１５を形成したもので、バックル本体２１０のスライディング部２１５をホイッスル１００の連結部１２０に挿入することで、バックル本体２１０にホイッスル１００を取付けられるようになっている。
【００４７】
このとき、スライディング部２１５に形成された突起２１６が、連結部１２０の平面部１２５に形成された固定溝１２６に挿入されて固定されることで、ホイッスル１００が固定された位置でバックル本体２１０にホイッスル１００が固定される。
【００４８】
本発明の第１の実施例によるホイッスル付きバックルの使用方法を説明すれば、次の通りである。
【００４９】
本発明の第１の実施例によるホイッスル付きバックルが用いられる物品、例えば、リュックサックを利用する使用者は、登山やキャンピングなどのためにリュックサックを準備することにより、別途の用意を行わなくても、ホイッスルを所持して登山やキャンピングに行くことができる。
【００５０】
登山やキャンピングに行く本発明のホイッスル付きバックルの使用者は、都心を経由して野外に行くことが多いが、この状態ではホイッスル１００を使用するような状況が発生するよりは、媒煙やホコリなどによりホイッスル１００の汚染が発生し易い。よって、使用者は、ホイッスル１００が必要になるまでは、ホイッスル１００をバックル本体２１０から離して、ポケットやリュックサック内に保管することになる。
【００５１】
使用者は、山や海や公園などのように野外活動が行われる場所に到着したときに、保管中であるホイッスル１００をバックル本体２１０に取り付けることで、ホイッスル１００をいつでも使用できる状態で所持することができる。
【００５２】
野外活動時、緊急状況が発生した場合には、使用者は、所持していたリュックサックなどのバックルに装着されたホイッスル１００をバックル本体２１０から取り出すことで、迅速に利用できる。
【００５３】
図１０〜図２０は、本発明の他の実施例によるホイッスル付きバックルの斜視図である。
本発明の他の実施例によるホイッスル付きバックルは、ベルトに取り付けて用いられる多様な形態のバックル本体２２０〜３２０にスライディング部２１５を具備し、スライディング部２１５を通してバックル本体２２０〜３２０と分離又は取付けできるホイッスル１００を含むもので、バックル本体２２０〜３２０の形態は、多様に形成できる。
【００５４】
例えば、バックル本体２２０〜３２０は、第１の実施例のように、雄ラッチ２１１及び雌レセプタクルからなり、雄ラッチ２１１及び雌レセプタクル２１２の結合又は分離によりベルトの取付け又は分離がなされる。この場合、雄ラッチ２１１及び雌レセプタクル２１２の形態は、その使用用途によって多様に構成できる。バックル本体２２０〜３２０が雄ラッチ２１１と雌レセプタクル２１２とからなる場合、スライディング部２１５は、雄ラッチ２１１又は雌レセプタクル２１２の何れか一つに形成できる。
【００５５】
一方、雄ラッチ２１１及び雌レセプタクル２１２からなるバックル本体２２０〜３２０は、その構成により開放型及び非開放型に区分できる。
すなわち、本発明の第１の実施例のように、雄ラッチ２１１の両側フック２１４が、雌レセプタクル２１２の挿入部に挿入されて、挿入部の両側に開放された受容部と結合された後、分離時に受容部に結合されたフックを加圧して、雄ラッチ２１１及び雌レセプタクル２１２が分離されるようにする開放型バックル本体があり得る。
【００５６】
また、図１３に示すバックル本体２５０のように、雄ラッチ２１１の先端部にあるフックを雌レセプタクル２１２の本体内側に挿入して、雌レセプタクル２１２の内側に形成された結合部と結合した後、分離時に雌レセプタクル２１２の外部に形成された加圧手段により分離する非開放型バックル本体があり得る。
雄ラッチ２１１及び雌レセプタクル２１２からなるバックル本体２５０の場合にも、その機能及び形状は多様に形成できる。
【００５７】
また、バックル本体２５０は、図１０〜図１２、図１４〜図２０に示すように、ベルトの長さ又は張力を調節したり、ベルトを物品に固定させるために、一体型に構成でき、この場合にもその機能及び形状は多様に形成できる。
【００５８】
図２１は、本発明によるホイッスル付きバックルがリュックサックに取り付けられている状態を示す例示図である。一般的に、本発明によるホイッスル付きバックルは一つのリュックサックに一つだけ用いられるが、図２１には、本発明の説明のために、本発明によるホイッスル付きバックルが一つのリュックサックに多数個形成されている図を示す。
【００５９】
すなわち、本発明によるホイッスル付きバックルは、リュックサックの胸ベルトに装着することができ（Ａ）、リュックサックの腰ベルトに装着することができ（Ｂ）、リュックサックの肩紐に装着することもでき（Ｃ、Ｄ）、この他にも、リュックサックを構成する多様な種類のベルト（Ｅ）に取り付けて利用できる。
【００６０】
図２２及び図２３は、本発明の他の実施例によるホイッスル付きバックルの分解斜視図及び使用状態を示す例示図である。
本発明の他の実施例によるホイッスル付きバックルは、登山用リュックサック、衣類、カバンなどの織物の縫合線に沿って縫合される縫合挿入片３３０を形成した後、他の一側面に形成されたスライディング部２１５を通してバックル本体と分離又は取付けされるホイッスル１００を含むもので、バックル本体の形態は多様に形成できる。
【００６１】
なお、本発明の詳細な説明では具体的な実施形態について説明したが、本発明の要旨から逸脱しない範囲内で多様に変形・実施が可能である。よって、本発明の範囲は、前述の実施形態に限定されるものではなく、特許請求の範囲の記載及びこれと均等なものに基づいて定められるべきである。
【図面の簡単な説明】
【００６２】
【図１】従来のホイッスル付きバックルの例示図である。
【図２】本発明の第１の実施例によるホイッスル付きバックルの分解斜視図である。
【図３】図２に示すホイッスルの正面図である。
【図４】図２に示すホイッスルのバックル本体側から見た側面図である。
【図５】図２に示すホイッスルの背面図である。
【図６】図２に示すホイッスルの平面図である。
【図７】図２に示すバックル本体の雄ラッチの正面図である。
【図８】図２に示すバックル本体の雄ラッチの平面図である。
【図９】本発明の第１の実施例によるホイッスル付きバックルの結合を示す斜視図である。
【図１０】本発明の他の実施例によるホイッスル付きバックルの斜視図である。
【図１１】本発明の他の実施例によるホイッスル付きバックルの斜視図である。
【図１２】本発明の他の実施例によるホイッスル付きバックルの斜視図である。
【図１３】本発明の他の実施例によるホイッスル付きバックルの斜視図である。
【図１４】本発明の他の実施例によるホイッスル付きバックルの斜視図である。
【図１５】本発明の他の実施例によるホイッスル付きバックルの斜視図である。
【図１６】本発明の他の実施例によるホイッスル付きバックルの斜視図である。
【図１７】本発明の他の実施例によるホイッスル付きバックルの斜視図である。
【図１８】本発明の他の実施例によるホイッスル付きバックルの斜視図である。
【図１９】本発明の他の実施例によるホイッスル付きバックルの斜視図である。
【図２０】本発明の他の実施例によるホイッスル付きバックルの斜視図である。
【図２１】本発明によるホイッスル付きバックルがリュックサックに取り付けている状態を示す例示図である。
【図２２】本発明の他の実施例によるホイッスル付きバックルの分解斜視図である。
【図２３】図２２の使用状態を示す例示図である。
【符号の説明】
【００６３】
１００    ホイッスル
１１０    ホイッスル本体
１２０    連結部
１２１    正面部
１２２    挿入溝
１２３    バックル本体寄り側面
１２４    背面部
１２５    平面部
１２６    固定溝
１２７    底面部
２１０、２２０、２３０、２４０、２５０、２６０、２７０、２８０、２９０、３００、３１０、３２０  バックル本体
２１１    雄ラッチ
２１２    雌レセプタクル
２１３    ガイド突起
２１４    フック
２１５    スライディング部
２１６    突起
２１７    第１端部＿＿
【図１】
0004904333.tif 000002
【図２】
0004904333.tif 000003
【図３】
0004904333.tif 000004
【図４】
0004904333.tif 000005
【図５】
0004904333.tif 000006
【図６】
0004904333.tif 000007
【図７】
0004904333.tif 000008
【図８】
0004904333.tif 000009
【図９】
0004904333.tif 000010
【図１０】
0004904333.tif 000011
【図１１】
0004904333.tif 000012
【図１２】
0004904333.tif 000013
【図１３】
0004904333.tif 000014
【図１４】
0004904333.tif 000015
【図１５】
0004904333.tif 000016
【図１６】
0004904333.tif 000017
【図１７】
0004904333.tif 000018
【図１８】
0004904333.tif 000019
【図１９】
0004904333.tif 000020
【図２０】
0004904333.tif 000021
【図２１】
0004904333.tif 000022
【図２２】
0004904333.tif 000023
【図２３】
0004904333.tif 000024